(57)【要約】【課題】気密性を保ち、電波漏れをし難くすることができる電波漏れ防止構造を提供する。【解決手段】筐体１の溝部１３に、蓋体２のリブ２１の部分が挿入されて筐体１の上面開口が蓋体２によって塞がれ、溝部１３にシール剤３が設けられて溝部１３内にリブ２１が密閉された構造であって、筐体１の上端周縁部の内側片１１と蓋体２との間に、この内側片１１と蓋体２とに密着する中蓋４が設けられた電波漏れ防止構造。溝部１３内に中溝部が形成され、この中溝部に蓋体２のリブ２１の先端部が嵌合密着するようになされた電波漏れ防止構造。蓋体２のリブ２１の先端部分がリブの立設方向に対して直交する方向に折り曲げられて断面Ｌ字形状の当接面となされ、この当接面が筐体１の溝部１３内の底面に当接密着するようになされた電波漏れ構造。【選択図】  図１
2004327499.tif 000002
【特許請求の範囲】
【請求項１】
上端周縁部に内側片と外側片とを有する溝部が形成された筐体と、この溝部に挿入可能なリブが立設された蓋体とを具備し、
筐体の溝部に、蓋体のリブの部分が挿入されて筐体の上面開口が蓋体によって塞がれるとともに、溝部にシール剤が設けられて溝部内にリブが密閉されてなる構造であって、
筐体の上端周縁部の内側片と蓋体との間に、この内側片と蓋体とに密着する中蓋が設けられてなることを特徴とする電波漏れ防止構造。
【請求項２】
上端周縁部に内側片と外側片とを有する溝部が形成された筐体と、この溝部に挿入可能なリブが立設された蓋体とを具備し、
筐体の溝部に、蓋体のリブの部分が挿入されて筐体の上面開口が蓋体によって塞がれるとともに、溝部にシール剤が設けられて溝部内にリブが密閉されてなる構造であって、
溝部内に中溝部が形成され、この中溝部に蓋体のリブの先端部が嵌合密着するようになされたことを特徴とする電波漏れ防止構造。
【請求項３】
上端周縁部に内側片と外側片とを有する溝部が形成された筐体と、この溝部に挿入可能なリブが立設された蓋体とを具備し、
筐体の溝部に、蓋体のリブの部分が挿入されて筐体の上面開口が蓋体によって塞がれるとともに、溝部にシール剤が設けられて溝部内にリブが密閉されてなる構造であって、
蓋体のリブの先端部分がリブの立設方向に対して直交する方向に折り曲げられて断面Ｌ字形状の当接面となされ、この当接面が筐体の溝部内の底面に当接密着するようになされたことを特徴とする電波漏れ防止構造。
【請求項４】
溝部内に中溝部が形成され、この中溝部に蓋体のリブの先端部が嵌合密着するようになされた請求項１記載の電波漏れ防止構造。
【請求項５】
蓋体のリブの先端部がリブの立設方向に対して直交する方向に折り曲げられて断面Ｌ字形状の当接面となされ、この当接面が筐体の溝部内の底面に当接密着するようになされた請求項１記載の電波漏れ防止構造。
【発明の詳細な説明】
【０００１】
【発明の属する技術分野】
本発明は、筐体の開口を蓋体によって電波漏れがし難い状態に密閉する構造に関し、例えば衛星放送・衛星通信受信用コンバータ（ＬＮＢ）等に利用される。
【０００２】
【従来の技術】
従来一般に用いられる衛星放送・衛星通信受信用コンバータ（ＬＮＢ）では、図４に示すように、上端周縁部に内側片ａと外側片ｂとを有する溝部ｃが形成された筐体ｄと、この溝部ｃに挿入可能なリブｅが立設された蓋体ｆとを具備し、筐体ｄの溝部ｃに、蓋体ｆのリブｅの部分が挿入されて筐体ｆの上面開口が蓋体ｆによって塞がれるとともに、溝部ｃにシール剤ｇが設けられて溝部ｃ内にリブｅが密閉されていた。
【０００３】
従来は、この溝部ｃに充填されたシール剤ｇによって、リブｅと溝部ｃとの間を密閉して筐体ｄと蓋体ｆとによって閉塞された空間の気密を保つようになされていた。
【０００４】
【発明が解決しようとする課題】
しかし、上記従来のようにシール剤ｇによって気密を保つ構造では、筐体ｄと蓋体ｆとの密着する部分が少ない為に、シール剤ｇの層を電波が通り、電波漏れが起き、漏れ量も大きくなるといった不都合があった。
【０００５】
本発明は、係る実情に鑑みてなされたものであって、気密性を保ち、電波漏れをし難くすることができる電波漏れ防止構造を提供することを目的としている。
【０００６】
【課題を解決するための手段】
上記課題を解決するための本発明の電波漏れ防止構造は、上端周縁部に内側片と外側片とを有する溝部が形成された筐体と、この溝部に挿入可能なリブが立設された蓋体とを具備し、筐体の溝部に、蓋体のリブの部分が挿入されて筐体の上面開口が蓋体によって塞がれるとともに、溝部にシール剤が設けられて溝部内にリブが密閉されてなる構造であって、筐体の上端周縁部の内側片と蓋体との間に、この内側片と蓋体とに密着する中蓋が設けられてなるものである。この中蓋によって、筐体の内側片と蓋体との間の空隙が密閉されるので、シール剤の層に直接電波が漏れ出るのを防止できる。
【０００７】
また、溝部内に中溝部が形成され、この中溝部に蓋体のリブの先端部が嵌合密着するようになされたものであってもよい。この嵌合密着によって蓋体と筐体との密着度合いが増すので、シール剤の層に直接電波が漏れ難くなる。また、上記した中蓋を併用した構造としてもよい。この場合、中蓋によって、筐体の内側片と蓋体との間の空隙が密閉されるとともに、中溝部とリブの先端部との嵌合密着によって蓋体と筐体との密着度合いが増すので、より一層電波が漏れ難くなる。
【０００８】
さらに、蓋体のリブの先端部分がリブの立設方向に対して直交する方向に折り曲げられて断面Ｌ字形状の当接部となされ、この当接部が筐体の溝部内の底面に当接密着するようになされたものである。この当接密着によって蓋体と筐体との密着度合いが増すので、シール剤の層に直接電波が漏れ難くなる。また、上記した中蓋を併用した構造としてもよい。この場合、中蓋によって、筐体の内側片と蓋体との間の空隙が密閉されるとともに、リブの当接部と溝部内の底面との当接密着によって蓋体と筐体との密着度合いが増すので、より一層電波が漏れ難くなる。
【０００９】
【発明の実施例】
以下、本発明の実施の形態を図面を参照して説明する。
【００１０】
図１は、衛星放送・衛星通信受信用コンバータ（ＬＮＢ）の電波漏れ防止構造を示している。
【００１１】
この電波漏れ防止構造は、筐体１と蓋体２とをシール剤３によって密閉する構造であって、筐体１の上端周縁部の内側片１１と蓋体２との間に、この内側片１１と蓋体２とに密着する中蓋４が設けられている。
【００１２】
筐体１は、内部に基板ユニット１０を収納するようになされている。この筐体１の上端周縁部には、内側片１１と外側片１２とを備えた溝部１３が形成されている。内側片１１は、外側片１２よりも高く形成されている。
【００１３】
蓋体２は、その外周縁部にリブ２１が立設されており、このリブ２１の部分は、筐体１の溝部１３内に挿入される高さおよび厚みに形成されている。
【００１４】
シール剤３は、筐体１の溝部１３内に設けられる。このシール剤３としては、溝部１３に設けた後、養生時間を経過することで、弾性を有する状態に硬化するようになされたものが使用される。この筐体１の溝部１３内にシール剤３を設けた後、蓋体２のリブ２１の部分を筐体１の溝部１３内に挿入することで、溝部１３とリブ２１との間の気密が、シール剤３によって保たれ、筐体１と蓋体２とを密閉状態に組み合わせることができる。
【００１５】
中蓋４は、蓋体２の周縁に立設されたリブ２１の内側に納まる弾性を有するシート状に形成されている。この中蓋４は、筐体１の溝部１３に蓋体２のリブ２１の部分を挿入して筐体１と蓋体２とを密閉した状態で、筐体の内側片１１と蓋体２との間隙を埋めることができる厚みに形成されたものが使用される。
【００１６】
この中蓋４を用いた電波漏れ防止構造によると、中蓋４によって筐体１と蓋体２との間の間隙が埋められるので、シール剤３の層に直接電波が漏れ難くなる。
【００１７】
図２は、本発明の電波漏れ防止構造の他の実施の形態を示している。
【００１８】
この電波漏れ防止構造は、筐体１の溝部１３内に中溝部１４が形成され、この中溝部１４に蓋体２のリブ２１の先端部２１ａが嵌合密着するようになされている。
【００１９】
中溝部１４は、溝部１３の底面に形成されてなり、リブ２１の先端部２１ａが嵌合密着するようにしなければならない。この場合、中溝部１４は、深く形成すると、リブ２１の先端部２１ａを深く嵌合密着させることができるが、筐体１は、中溝部１４を深く形成できるだけの肉厚と加工精度が要求される。また、中溝部１４を浅く形成すると、リブ２１の先端部２１ａの嵌合密着が不十分になってしまうことが懸念される。したがって、中溝部１４の深さとしては、できるだけ深くならない範囲で、確実にリブ２１と嵌合密着することができる深さに決定される。この中溝部１４の深さとしては、筐体１や蓋体２  の素材や大きさによって適宜変更されるので、一該に述べることはできないが、本実施の形態では、リブ２１の全体の高さの約１／４程度の先端部２１ａが中溝部１４に嵌合密着するように形成されている。この筐体１の中溝部１４に蓋体２のリブ２１の先端部２１ａが嵌合密着することで、筐体１と蓋体２との密着度合いが増し、シール剤３の層に直接電波が漏れ難くなる。
【００２０】
なお、リブ２１の先端部２１ａと中溝部１４とが嵌合密着し易いように、リブ２１および中溝部１４のうち、少なくとも何れか一方に、テーパ加工が施されていてもよい。
【００２１】
また、この図２に示す電波漏れ防止構造に、図１に示す中蓋４を併用してもよい。この場合、リブ２１の先端部２１ａと中溝部１４とが嵌合密着することによって筐体１と蓋体２との密着度合いが増すのみならず、中蓋４を介しても筐体１と蓋体２との密着度が増すので、より一層電波を漏れ難くすることができる。
【００２２】
図３は、本発明の電波漏れ防止構造のさらに他の実施の形態を示している。
【００２３】
この電波漏れ防止構造は、蓋体２のリブ２１の先端部分がリブ２１の立設方向に対して直交する方向に折り曲げられた断面Ｌ字形状の当接部２１ｂとなされ、この当接部２１ｂが筐体１の溝部１３内の底面に当接密着するようになされている。
【００２４】
当接部２１ｂは、リブ２１の立設方向に対して直交する方向に折り曲げられて、リブ２１が断面Ｌ字形状となるように形成され、筐体１の溝部１３底面に、この当接部２１ｂが密着するようにしなければならない。したがって、当接部２１ｂは、溝部１３の溝幅の範囲内に納まるように形成される。この当接部２１ｂが溝部１３の底面に密着することで、筐体１と蓋体２との密着度合いが増し、シール剤３の層に直接電波が漏れ難くなる。
【００２５】
また、この図３に示す電波漏れ防止構造に、図１に示す中蓋４を併用してもよい。この場合、リブ２１の当接部２１ｂと溝部１３の底面とが嵌合密着することによって筐体１と蓋体２との密着度合いが増すのみならず、中蓋４を介しても筐体１と蓋体２との密着度が増すので、より一層電波を漏れ難くすることができる。
【００２６】
なお、図２および図３において、図１と同部材には同符号を付して説明を省略している。
【００２７】
【発明の効果】
以上述べたように、本発明によると筐体と蓋体との密着する部分が増えることにより、気密性が高まり、より一層に電波漏れをし難くすることができる。
【図面の簡単な説明】
【図１】（ａ）は本発明に係る電波漏れ防止構造の一例である衛星放送・衛生通信受信用コンバータの筐体部分の正面図、（ｂ）は同図（ａ）のＩ−Ｉ  線断面図、（ｃ）は同図（ｂ）の要部拡大図である。
【図２】本発明に係る電波漏れ防止構造の一例である衛星放送・衛生通信受信用コンバータの筐体部分の他の実施の形態を示す要部拡大図である。
【図３】本発明に係る電波漏れ防止構造の一例である衛星放送・衛生通信受信用コンバータの筐体部分のさらに他の実施の形態を示す要部拡大図である。
【図４】（ａ）は従来の衛星放送・衛星通信受信用コンバータの筐体部分を示す平面図、（ｂ）は同図（ａ）のＩＶ−ＩＶ  線断面図、（ｃ）は同図（ｂ）の要部拡大図である。
【符号の説明】
１  筐体
１１  内側片
１２  外側片
１３  溝部
１４  中溝部
２  蓋体
２１  リブ
２１ａ  先端部
２１ｂ  当接部
３  シール剤
４  中蓋
【図１】
2004327499.tif 000003
【図２】
2004327499.tif 000004
【図３】
2004327499.tif 000005
【図４】
2004327499.tif 000006